(57)【要約】  本発明に係る立体ポップ１は、少なくとも一方向に曲げ弾性を有する平面板１０と、該平面板１０の前記方向に離間した２点を連結し、両点間の距離よりも短い２種以上の距離で固定することのできる非弾性の連結部材２１とを備える。前記両点間の距離を非弾性の連結部材で固定することにより、平面板１０の湾曲状態を確実に維持することができる。また、前記２点間の距離を変化させることにより、平面板２０の湾曲状態を変更することができる。
2014024834.tif 000002
【特許請求の範囲】
【請求項１】
自立させて用いる立体ポップであって、
少なくとも一方向に曲げ弾性を有する平面板と、
該平面板の前記方向に離間した２点を連結し、両点間の距離よりも短い２種以上の距離で固定することのできる非弾性の連結部材と、
を備えることを特徴とする立体ポップ。
【請求項２】
前記平面板は、前記方向に直交する方向に折目を有することを特徴とする、請求項１に記載の立体ポップ。
【請求項３】
前記連結部材は、
前記平面板の前記方向の両側端を折り返した折返し部と、
該折返し部のそれぞれに設けた孔であって、その少なくとも一方が前記方向に長いスライド孔である固定用孔と、
平面状の剛性を有する板材の両端に孔を開けた連結板と、
それらの孔に挿入して締め付けることのできる締結具と
で構成することを特徴とする、請求項１又は２に記載の立体ポップ。
【請求項４】
前記連結部材は、紐状部材と、該紐状部材に挿通された紐留め具とを含むことを特徴とする、請求項１又は２に記載の立体ポップ。
【発明の詳細な説明】
【技術分野】
【０００１】
本発明は、商品を宣伝・広告するために用いられる立体ポップに関する。
【背景技術】
【０００２】
イベントや展示会等では、外表面に図柄や絵柄、宣伝・広告用のメッセージ等が印刷された円筒状や半円筒状の立体ポップが用いられる。このような立体ポップは、厚紙や段ボール紙などのシートを湾曲させて筒状にしたもので、イベントや展示会の会場の床面に自立させることができる。【０００３】
このような立体ポップは、ポスターやパネル等の平面状のポップに比べて高い宣伝効果が得られる反面、不使用時に広い収納スペースが必要となる、持ち運びが不便である等の欠点がある。このような欠点を解決するものとして、例えば特許文献１には、折り畳み可能な半円筒状の立体ポップが開示されている。この立体ポップは、プレゼンテーション面を構成する矩形状のパネルと、その全幅よりも短い幅を有する支持シートとから構成されている。支持シートの一端をパネルの一方の側端に固定し、折返し部を有する支持シートの他方の側端と支持シートの間に輪ゴムを架け渡すことにより、前記折返し部が支持シートの他端に当接し、パネルが湾曲される。パネルと支持シートは輪ゴムで連結されているだけであるので、パネルを強制的に押さえつければパネルは平らになり、保管や運搬にも便利となる。
【先行技術文献】
【特許文献】
【０００４】
【特許文献１】特許第3605602号公報
【発明の概要】
【発明が解決しようとする課題】
【０００５】
ゴムは通常、時間の経過と共に劣化して弾性が低下する。ゴムの弾性が低下すると、パネルを湾曲させた状態を維持できなくなる。また、立体ポップを平板状にしたときには、ゴムが引き伸ばされ、その状態で長時間放置すると劣化はより著しくなり、破断し易くなる。
さらに、上記した従来の立体ポップでは、パネルの幅と支持シートの幅によってパネル（プレゼンテーション面）の湾曲状態（曲率）がただ一つに決まる。このため、例えばプレゼンテーションの目的に応じて、或いは、設置スペースの大きさに合わせて、パネルの湾曲状態（曲率）を変更するということができない。【０００６】
本発明が解決しようとする課題は、長期に亘ってパネルの湾曲状態を確実に維持することができるとともに、その湾曲状態を変更することができる、折り畳み可能な立体ポップを提供することにある。
【課題を解決するための手段】
【０００７】
上記課題を解決するために成された本発明は、自立させて用いる立体ポップであって、
少なくとも一方向に曲げ弾性を有する平面板と、
該平面板の前記方向に離間した２点を連結し、両点間の距離よりも短い２種以上の距離で固定することのできる非弾性の連結部材と、
を備えることを特徴とする。【０００８】
ここで、「両点間の距離」とは、平面板が平板状にあるときの前記２点間の距離をいう。
本発明に係る立体ポップでは、連結部材により平面板の離間した２点間の距離をそれよりも短くした状態で固定することにより前記平面板を湾曲させることができ、連結部材による固定を解除することにより前記平面板を平板状に戻すことができる。この連結部材には弾性部材を用いないので、長期間の保持による劣化という問題は生じない。また、２種以上の距離で固定するため、平面板の湾曲状態を２種以上に変化させることができる。【０００９】
本発明に係る立体ポップでは、前記平面板は、前記方向に直交する方向に折目を有していても良い。これにより、連結部材により両点間の距離を短くした状態で固定したときに平面板を多面体状に折り曲げることができる。【００１０】
前記連結部材は、前記平面板の前記方向の両側端を折り返した折返し部と、該折返し部のそれぞれに設けた孔であって、その少なくとも一方が前記方向に長いスライド孔である固定用孔と、平面状の剛性を有する板材の両端に孔を開けた連結板と、それらの孔に挿入して締め付けることのできる締結具で構成することができる。このような構成では、両折り返し部の固定用孔と連結板の両端の孔をそれぞれ重ねて前記締結具で締め付けることにより、平面板の湾曲状態を固定することができる。そして、折返し部の少なくとも一方の固定用孔がスライド孔であることにより、それと連結板の対応する端部の孔との重ねる位置を調節することで、その湾曲状態を任意に変化させることができる。【００１１】
或いは、前記連結部材は、紐状部材と、該紐状部材に挿通された紐留め具とを含むものとしてもよい。この場合、平面板の離間する２点間を該紐状部材で連結するとともに、紐留め具を用いて前記紐状部材の長さを調節することにより、前記離間する２点間の距離を適宜の長さに設定することができ、平面板の湾曲状態を任意に変化させることができる。
【発明の効果】
【００１２】
本発明に係る立体ポップによれば、非弾性の連結部材を用いて、平面板の離間する２点間の距離をそれよりも短くして固定することにより、平面板を湾曲させ、その湾曲状態を確実に維持することができる。また、上記２点間の距離を２種以上の長さで固定することができるので、例えばプレゼンテーションの目的に応じて、或いは、設置スペースの大きさに合わせて、平面板の湾曲状態を２種以上に変化させることができる。
【図面の簡単な説明】
【００１３】
【図１】本発明の実施例１に係る立体ポップの全体斜視図。
【図２】本発明の実施例２に係る立体ポップの全体斜視図。
【図３】実施例１に係る立体ポップを構成する各部材の平面図であり、（ａ）は平面板、また（ｂ）は連結板、（ｃ）はネジ部材を示す。
【図４】実施例１に係る立体ポップを組み立てる工程を示した図。
【図５】本発明の変形例に係る立体ポップの拡大斜視図（ａ）〜（ｄ）。
【図６】本発明の他の変形例に係る立体ポップの全体斜視図（ａ）、（ｂ）。
【発明を実施するための形態】
【００１４】
本発明の各実施例における立体ポップについて、図１〜図６を参照しながら説明する。なお、以下の説明において、立体ポップを自立させた場合に床面側に位置する側を「下」、その逆側を「上」と表現する。
【実施例１】
【００１５】
本発明の実施例１に係る立体ポップ１を図１に示す。本実施例に係る立体ポップ１は、図柄や絵柄、宣伝・広告用のメッセージ等が印刷された２枚の矩形の平面板１０の両側縁を折り返してそれぞれ貼り合わせ、全体を筒状としたものである。なお、本実施例の立体ポップ１は２枚の平面板を有する構成であるが、後述するように平面板１枚のみの構成とすることもできる。【００１６】
立体ポップ１の各部を構成する部材をそれぞれ図３の（ａ）〜（ｃ）に示す。平面板１０は図３の（ａ）に示すように角を丸めた矩形状を有し、その左右両側には上下方向に延びる折目１７が設けられているとともに、中央付近には左右方向に伸びる折目１８が設けられている。また、平面板１０において左側の折目１７よりも左端側及び右側の折目１７よりも右端側の領域である側縁１２には、それぞれ斜め左右方向に延びるスライド孔１４が１つずつ、全体として逆ハの字状となるように設けられている。側縁１２は、後述するように、立体ポップ１を作製する際の貼り代として用いられる。平面板１０は厚紙で作製され、等方的に曲げ弾性を有する。【００１７】
連結板２１は、図３（ｂ）に示すように、平面板１０よりも短い縦幅及び横幅を有する略矩形の平面状の板材である。連結板２１の左右両端にはネジ留め孔２３が１個ずつ、計２個設けられている。連結板２１は、平面板１０と同じ厚紙を用いてもよいし、それよりも薄い紙や厚い紙、或いはプラスチック板を用いてもよい。いずれにせよ、湾曲した平面板１０の曲げ弾性に負けて伸びることがない程度の剛性を有していればよい。【００１８】
ネジ部材３１はボルトとナットから構成され、後述するようにスライド孔１４及びネジ留め孔２３に挿通される。ネジ部材３１はプラスチック製であっても金属製であっても良い。【００１９】
上述した平面板１０、連結板２１及びネジ部材３１を用いて立体ポップ１を作製する工程について図４を参照して以下に説明する。まず、２枚の平面板１０の左右の側縁１２を、折目１７により同方向に折り返す（図４のステップＳ１）。次に、２枚の平面板１０の側縁１２同士を、接着剤等を用いて互いに貼り合わせ、全体を筒状とする（ステップＳ２）。このとき、全ての側縁１２が筒の内側に位置するようにする。このように２枚の平面板１０の側縁１２同士を貼り合わせることにより、側縁１２が重なり合った支持片１６が筒の内側に２箇所形成される。最後に、筒の内側に連結板２１を挿入し、該連結板２１に設けられた両ネジ留め孔２３と、両支持片１６において２個のスライド孔１４が重なった部分にネジ部材３１をそれぞれ挿入してネジ留めする（ステップＳ３）。これにより左右の支持片１６間の距離が短くされた状態で固定され、２枚の平面板１０が湾曲状態となる。【００２０】
本実施例に係る立体ポップ１では、支持片１６のスライド孔１４と連結板２１のネジ留め孔２３との重ね位置を調節することによって、平面板１０を湾曲させたときの曲率を任意に変化させることができる。また、立体ポップ１から連結板２１を取り外すと支持片１６間の固定が解除されるため、２枚の平面板１０は平板状に戻り、左右方向の折目１８によって立体ポップ１の全体を２つに折り畳むことが可能となる。【００２１】
なお、本実施例では、連結板２１にネジ留め孔２３が形成され、支持片１６にスライド孔１４が形成される構成としたが、これとは逆に、連結板にスライド孔が形成され、支持片にネジ留め孔が形成される構成としてもよい。
【実施例２】
【００２２】
本発明の実施例２に係る立体ポップを図２に示す。本実施例に係る立体ポップ１Ａでは、上述した実施例１とは異なり、平面板１０Ａの両側縁１２Ａにはスライド孔ではなく紐通し孔１５が形成されている。側縁１２Ａ同士を貼り合わせることにより筒の内側に形成された左右の支持片１６Ａにおいて、２個の紐通し孔１５が重なった部分には、紐状部材２５が架け渡されている。紐状部材２５には紐留め具２７が挿通されている。【００２３】
紐状部材２５には、ポリプロピレンや木綿など、非弾性の素材を用いる。【００２４】
紐留め具２７は、通し孔を有する本体と、該通し孔を狭めるための部材とから成る。紐留め具２７の通し孔に紐状部材２５を通した後、通し孔を狭めることにより、紐状部材２５を任意の長さで固定することができる。【００２５】
また、本実施例に係る立体ポップ１Ａでは、左右の支持片１６Ａ間に架け渡された紐状部材２５の長さを紐留め具２７で調節することにより、平面板１０Ａを湾曲させたときの曲率を任意に変化させることができる。また、紐状部材２５を完全に緩めると、支持片１６Ａ間の固定が解除されるため、２枚の平面板１０Ａは平板状に戻る。【００２６】
上述した各実施例に係る立体ポップ１又は１Ａによれば、非弾性な部材によって支持片１６，１６Ａ間の距離を短くした状態で固定することにより、平面板１０，１０Ａを湾曲させ、その状態を確実に維持することができる。また、上記支持片間の距離を変化させることにより、例えばプレゼンテーションの目的に応じて、或いは、設置スペースの大きさに合わせて、平面板１０，１０Ａの湾曲状態を任意に変更することができる。【００２７】
図５及び図６に示すように、本発明は種々の変形が可能である。
図５の（ａ）に示す立体ポップ１Ｂは、１枚の平面板１０Ｂの両側縁１２Ｂを折り返し、該両側縁１２Ｂにスライド孔１４Ｂを左右方向に平行に設けるとともに、その間に連結板２１Ｂを架け渡して全体を半円筒状に形成したものである。また、図５（ｂ）に示す立体ポップ１Ｃは、スライド孔１４Ｃを一方の側縁１２Ｃのみに設け、他方の側縁１２Ｃには円形のネジ孔を設けたものである。図５の（ｃ）に示す立体ポップ１Ｄは、一枚の平面板１０Ｄを丸めて円筒状に形成するとともに、平面板１０Ｄに２個の紐通し孔１５Ｄを直接設けたものである。さらに、図５の（ｄ）に示す立体ポップ１Ｅは、平面板１０Ｅに上下方向の折目１９を設けることにより、平面板１０Ｅの立体形状を多面体状としたものである。【００２８】
図６の（ａ）に示す立体ポップ１Ｆは、上下とその中間に一枚ずつ、計３枚の連結板２１Ｆを設けた構成を有する。当該構成においては、特に立体ポップ１Ｆが上下方向に細長い場合に、立体ポップ１Ｆの立体形状をより安定的に維持することができる。このような細長い立体ポップを安定的に自立させるために、図６の（ｂ）に示すように、安定板４０の上に立体ポップを固定するようにしてもよい。
【符号の説明】
【００２９】
１…立体ポップ
１０…平面板
１２…側縁
１４…スライド孔
１５…紐通し孔
１６…支持片
１７、１８、１９…折目
２１…連結板
２３…ネジ留め孔
２５…紐状部材
２７…紐留め具
３１…ネジ部材
４０…安定板
【図１】
2014024834.tif 000003
【図２】
2014024834.tif 000004
【図３】
2014024834.tif 000005
【図４】
2014024834.tif 000006
【図５】
2014024834.tif 000007
【図６】
2014024834.tif 000008
【国際調査報告】
2014024834.tif 000009
2014024834.tif 000010
2014024834.tif 000011
2014024834.tif 000012
2014024834.tif 000013